(57)【要約】【課題】従来技術では、洗濯兼脱水槽側壁に取り付ける際、ネット外周部のリングの弾性力を利用していたため、ネット中心方向への局所的な外力がリングに働くとネットが脱落するという課題があった。また、ネットを収納する上でフロートサイズを小さくする必要があるため、安定したフロートの上下動作が得られにくいという課題があった。【解決手段】通水性のある洗濯補助具の外周部に環状剛性体を設けることで、洗濯兼脱水槽側壁の凹部にセットした洗濯補助具の脱落を防止することが可能となる。また、洗濯補助具の内部に浮力で作動する可動体を設け、この可動体を一定サイズ以上とすることで、水流による可動体の不規則な動きが無くなり、安定的に上下動するため、可動体上にセットした洗濯物の布傷み抑制や洗浄性能のバラツキを抑制することが可能となる。【選択図】図１
2020199047.tif 000002
【特許請求の範囲】
【請求項１】
洗濯機の洗濯兼脱水槽の内部に着脱可能に取り付けられる洗濯補助具であって、
略円環状に形成された環状剛性体と、洗濯水に対して浮力を生じさせる可動体と、柔軟性及び通水性を有し、前記環状剛性体と前記可動体とを接続する接続部と、を備え、前記接続部は、前記可動体の上部と接着されている洗濯補助具。
【請求項２】
前記接続部は、上部が開口する有底円筒形状とし、前記接続部の上部に前記環状剛性体、前記接続部の下部に前記可動体を配設している請求項１に記載の洗濯補助具。
【請求項３】
前記接続部の底面外周部に形状保持部材を配設した請求項２に記載の洗濯補助具。
【請求項４】
前記可動体の直径は、前記環状剛性体と前記可動体の高低差より大きく、前記洗濯兼脱水槽の内径より小さくした請求項２又は３に記載の洗濯補助具。
【請求項５】
前記環状剛性体は略線対称となる中心線となる位置で二分割されており、二分割された前記環状剛性体を回動可能に接続する回動軸を備えた請求項１〜４のいずれか一項に記載の洗濯補助具。
【請求項６】
前記可動体は略線対称となる中心線となる位置で二分割され、前記接続部と接着されている請求項５に記載の洗濯補助具。
【請求項７】
前記接続部は略線対称となる中心線となる位置で二分割されており、それぞれの前記接続部は上部が開口する略半円筒形状に形成された請求項５に記載の洗濯補助具。
【請求項８】
洗濯機の洗濯兼脱水槽の内部に着脱可能に取り付けられる洗濯補助具であって、
略円環状に形成された環状剛性体と、洗濯水に対して浮力を生じさせる可動体と、柔軟性及び通水性を有し、前記環状剛性体と前記可動体とを接続する接続部と、を備え、前記接続部は、有底筒状に形成されるとともに底部に袋状の部屋を有し、前記可動体は、前記袋状の部屋の内部に出し入れ可能に構成された洗濯補助具。
【請求項９】
有底円筒形状に形成され、洗濯物を収容する洗濯兼脱水槽と、
前記洗濯兼脱水槽の内底部に回転可能に設けられたパルセータと、
前記パルセータを回転駆動させるモータと、
請求項１〜８のいずれか一項に記載の洗濯補助具と、を備え、
前記洗濯兼脱水槽の内壁面には凹部が形成されており、前記環状剛性体には凸部が形成されており、前記環状剛性体は前記洗濯兼脱水槽に対して、前記凹部と前記凸部の係合により着脱可能に取り付けられている洗濯機。
【発明の詳細な説明】
【技術分野】
【０００１】
本発明は、洗濯補助具及びこれを取り付け洗濯水中で洗濯物を洗濯する洗濯機に関する。
【背景技術】
【０００２】
従来、この種の洗濯機は、洗濯兼脱水槽内で撹拌用のパルセータにて洗濯物を撹拌洗浄する以外に、パルセータを洗濯物に直接接触させずにデリケートな衣類の洗濯物を処理するための洗濯補助具を取り付けた洗濯機が提案されている（例えば、特許文献１参照）。
【０００３】
図１０は、特許文献１に記載された洗濯補助具を取り付けた洗濯機の縦断面図である。
【０００４】
図１０において、洗濯兼脱水槽１０１は、底部にパルセータ１０２を回転自在に配設し、底面の裏面には取りつけ用のフランジ１０３を設け、水受槽１０４に内包されている。水受槽１０４の裏面には、洗濯兼脱水槽１０１及び／又はパルセータ１０２を駆動するモータ１０５を取り付けている。また、水受槽１０４は、外枠１０６にサスペンション１０７によって防振支持されている。
【０００５】
洗濯兼脱水槽１０１の上部には液体を内封した流体バランサ環１０８を固着している。洗濯兼脱水槽１０１の側面には、循環水路１０９が形成されており、パルセータ１０２の裏面に羽根１１０を設けている。循環水路１０９の上部には、散水口１１１が洗濯兼脱水槽１０１内に向けて開口している。
【０００６】
洗濯兼脱水槽１０１の内部には、パルセータ１０２の上方を覆うように設けられた網体のネット１１８を備える。ネット１１８は、洗濯兼脱水槽１０１の側壁の曲面に合わせて平面状で略円形に形成され、ネット１１８の外周部にはリング１１９が設けられている。ネット１１８は、リング１１９の弾性を利用し、洗濯兼脱水槽１０１の内壁の段部１１５に載せて、パルセータ１０２を覆うようにセットされる。また、ネット１１８は、洗濯兼脱水槽１０１にセットした状態にて略中央部を下方に垂らし、ネット１１８の上部略中央にフロート１２１を着脱自在に取着している。
【０００７】
洗濯時には、洗濯物１１６は、ネット１１８の上に載せられており、直接、洗濯物１１６とパルセータ１０２が接触することはない。パルセータ１０２を回転させると、矢印で示すような略ハート型の水流１１７が発生し、この水流の力と、この水流の力によるフロート１２１およびネット１１８の上下動と、パルセータ１０２のポンプ作用による循環水路１０９の散水口１１１からの散水によって洗濯物１１６は洗浄される。
【先行技術文献】
【特許文献】
【０００８】
【特許文献１】特開平８−１１２４８９号公報
【発明の概要】
【発明が解決しようとする課題】
【０００９】
前記従来の構成では、水流や衣類荷重により局所的に大きな外力が働くとネットが脱落するという課題があった。
【００１０】
本開示は、洗濯補助具及びこれを取り付けて洗濯動作を安定的に行うことができる洗濯機を提供する。
【課題を解決するための手段】
【００１１】
前記従来の課題を解決するために、本開示の洗濯補助具は、洗濯機の洗濯兼脱水槽の内部に着脱可能に取り付けられる洗濯補助具であって、略円環状に形成された環状剛性体と、洗濯水に対して浮力を生じさせる可動体と、柔軟性及び通水性を有し、前記環状剛性体と前記可動体とを接続する接続部と、を備え、前記接続部は、前記可動体の上部と接着されているものである。
【００１２】
これによって、洗濯補助具に局所的に大きな力が働いても洗濯兼脱水槽から外れづらいため、洗濯補助具による洗濯動作を安定的に行うことができる。
【発明の効果】
【００１３】
本開示における洗濯補助具及びこれを取り付けた洗濯機は、洗濯補助具による洗濯動作を安定的に行うことができる。
【図面の簡単な説明】
【００１４】
【図１】実施の形態１における洗濯補助具を取り付けた洗濯機の縦断面図
【図２】（ａ）同洗濯補助具の外観側面図、（ｂ）同洗濯補助具の外観上面図
【図３】実施の形態２における洗濯補助具の外観斜視図
【図４】実施の形態３における洗濯補助具の外観側面図
【図５】実施の形態４における洗濯補助具の外観側面図
【図６】（ａ）実施の形態５における洗濯補助具の外観側面図、（ｂ）同洗濯補助具の外観上面図、（ｃ）同洗濯補助具の二つ折り過程を示した外観側面図
【図７】実施の形態６における洗濯補助具の外観上面図
【図８】（ａ）実施の形態７における洗濯補助具の外観上面図、（ｂ）同洗濯補助具の可動体の取り付け・取り外し過程を示した外観側面図
【図９】（ａ）同洗濯補助具の外観上面図、（ｂ）同洗濯補助具の可動体の取り付け・取り外し過程を示した外観側面図
【図１０】特許文献１における洗濯補助具を取り付けた洗濯機の縦断面図
【発明を実施するための形態】
【００１５】
添付の図面を参照して、本発明の実施形態を以下に説明する。なお、この実施の形態によって本発明が限定されるものではない。
【００１６】
（実施の形態１）
図１は、本発明の第１の実施の形態における洗濯補助具を取り付けた洗濯機の縦断面図、図２（ａ）は、同洗濯補助具の正面図、図２（ｂ）は、同洗濯補助具の平面図である。なお、従来の洗濯機と同じ構成、部位については、同一番号を付して、説明を省略する。
【００１７】
図１において、パルセータ１０２の上方には洗濯補助具１が着脱可能に取り付けられている。洗濯補助具１の上には、洗濯物１１６が載せられている。
【００１８】
図２（ａ）及び図２（ｂ）に示すように、洗濯補助具１は、外周部に設けられた環状剛性体２と、伸縮性のある接続部７と、洗濯補助具１の略中央部に設けられ、洗濯水に対して浮力を有する可動体３により構成されている。
【００１９】
環状剛性体２は、硬質な樹脂や金属などで構成されており、一部が切欠けられた略円環状の板として形成されている。環状剛性体２の外周には、外径よりも短くなるように切欠けられた位置に凸部４が設けられている。凸部４は、爪状に形成され、弾性作用により洗濯兼脱水槽１０１の内壁面に設けられた凹部（図示せず）と着脱可能に係合する。環状剛
性体２は、剛性が高くなるように形成されており、水流や衣類荷重によりネット中心方向へ局所的に大きな外力が働いても、外周部が変形しない。また、環状剛性体２には、洗濯水の上下方向の通水性を促進させるため、小穴５が多数設けられる。
【００２０】
可動体３は、発泡素材や中空成形材で形成されており、洗濯水中で浮力を生ぜしめる。可動体３の取り付け位置については後述する。
【００２１】
接続部７は、ポリエステルやナイロンにより形成された通水性のネットである。接続部７の通水孔のサイズは、洗濯物１１６に付属するボタン等が引っかからないサイズとなっている。また、接続部７は、可動体３の上面と環状剛性体２の下部とに接着されており、可動体３と環状剛性体２との間で弛む長さに構成されている。接続部７は、環状剛性体２と可動体３との間から洗濯物１１６が落下し、洗濯物１１６がパルセータ１０２と接触することを抑止している。
【００２２】
以上の構成について、以下その動作を説明する。
【００２３】
使用者は、洗濯運転開始前に、凸部４を凹部と係合させることにより洗濯補助具１を洗濯兼脱水槽の内部に取り付ける。洗濯補助具１は、取り付け状態において、可動体３が自重により下垂している。使用者は、可動体３及び接続部７に洗濯物１１６を載置し、洗濯機に洗濯運転を開始させる。
【００２４】
洗濯運転において、洗濯機は、パルセータ１０２を回転させながら洗い工程や濯ぎ工程を行う。洗い工程や濯ぎ工程では、洗濯兼脱水槽１０１の内部には洗濯水が貯められており、パルセータ１０２が間欠的に回転駆動される。パルセータ１０２が回転している時、洗濯兼脱水槽１０１に貯められた洗濯水は、遠心力により水面が逆円錐台形状となっている。すると、洗濯兼脱水槽１０１の回転軸近傍の水面が下がり、可動体３は洗濯水に浸漬しなくなるため、自重により下垂する。
【００２５】
一方、パルセータ１０２の回転速度が小さくなると、洗濯水が接続部７を通過し、水面が水平面へと戻る。すると、可動体３は洗濯水に浸漬し、可動体３の浮力により上昇する。
【００２６】
このように、洗濯機は、パルセータ１０２を間欠的に回転駆動させることで、洗濯補助具１の可動体３を上下動作させる。なお、可動体３の上下動作は、パルセータ１０２の回転時のポンプ作用によって、洗濯兼脱水槽１０１の側壁に設けた循環水路（図示せず）の上方にある散水口１１１から放出される洗濯水の落下でより促進される。洗濯補助具１に載置された洗濯物１１６は、上下運動に伴って洗濯水が繊維を通過することにより汚れを取り除かれる。上下動作する洗濯補助具１に洗濯物１１６を載置することにより、パルセータ１０２の機械力により洗濯物１１６の布が傷むことを抑止し、効率的な洗濯を行うことができる。
【００２７】
以上の構成について、以下その作用を説明する。
【００２８】
実施の形態１における洗濯補助具１は、凹部と凸部４との係合により洗濯兼脱水槽１０１の内壁に固定されているため、洗濯運転時に外力が加わったとしても外れづらくなっている。
【００２９】
また、実施の形態１における洗濯補助具１は、接続部７の下面に可動体３が接着されているため、洗濯物１１６はほぼ接続部７とのみ接触するように構成されている。これにより、洗濯補助具１の上下運動の際に、洗濯補助具１と洗濯物１１６が引っかかり、洗濯物
１１６の繊維が傷むことを抑止できる。また、可動体３を接続部７の下方にしたことにより、洗濯補助具１に載置できる洗濯物１１６の容量が大きくなっている。
【００３０】
また、実施の形態１における洗濯補助具１は、環状剛性体２が剛性体であるため、水流や洗濯物１１６の荷重により局所的に大きな外力が働いても、外周部が変形しない。従って、洗濯兼脱水槽１０１の内壁に設けた凹部から洗濯補助具が脱落しづらい構成となっている。
【００３１】
また、実施の形態１における可動体３は、接続部７を介して環状剛性体２と接続され、接続部７により動きが制約されているため、激しい水流下での可動体の反転や飛上がりを抑止することができる。また、可動体３の直径を大きく設けることにより、水流による可動体３の不規則な動きを抑止できる。
【００３２】
また、実施の形態１における接続部７は通水性のネットであるため、接続部７の上部に載置された洗濯物１１６に洗濯水が浸透し、洗濯を可能とする。
【００３３】
以上のように、実施の形態１における洗濯補助具１は、洗濯機の洗濯兼脱水槽１０１の内部に着脱可能に取り付けられる洗濯補助具１である。洗濯補助具１は、略円環状に形成された環状剛性体２と、洗濯水に対して浮力を生じさせる可動体３と、柔軟性及び通水性を有し、環状剛性体２と可動体３とを接続する接続部７と、を備える。接続部７は、可動体３の上部と接着されている。
【００３４】
これにより、可動体３が接続部７の下方に配置されているため、接続部７の上方を洗濯物１１６を載置する空間として効率よく利用できる。そのため、洗濯補助具１の載置できる洗濯物１１６の容量を大きくすることができる。
【００３５】
また、実施の形態１における洗濯機は、有底円筒形状に形成され、洗濯物１１６を収容する洗濯兼脱水槽１０１と、前記洗濯兼脱水槽１０１の内底部に回転可能に設けられたパルセータ１０２と、前記パルセータを回転駆動させるモータ１０５と、洗濯補助具１と、を備える。洗濯機は、洗濯兼脱水槽１０１の内壁面には凹部が形成されており、環状剛性体２には凸部４が形成されており、環状剛性体２は洗濯兼脱水槽１０１に対して、凹部と凸部４の係合により着脱可能に取り付けられている。
【００３６】
これにより、洗濯補助具１に局所的に大きな力が働いても洗濯兼脱水槽１０１から外れづらい。そのため、洗濯補助具１による洗濯動作を安定的に行うことができる。
【００３７】
（実施の形態２）
図３は、実施の形態２における洗濯補助具の外観斜視図である。実施の形態２における洗濯機は、実施の形態１における洗濯補助具１の代わりに、洗濯補助具２１を備える。なお、実施の形態１と同じ部位については、同一番号を付して、説明を省略する。
【００３８】
図３に示すように、実施の形態２における洗濯補助具２１は、上部が開口する有底円筒形状に構成されている。洗濯補助具２１は、実施の形態１と同様に環状剛性体２を備え、環状剛性体２の下部には筒状に形成された接続部２７が接着されている。
【００３９】
接続部２７は、ポリエステルやナイロンにより形成された通水性のネットであり、有底円筒形状に形成されている。接続部２７の下面には、可動体３が接着されている。接続部２７の側面部は、可動体３の底面が洗濯兼脱水槽１０１内部のパルセータ１０２に接触しない高さとなっている。
【００４０】
以上のように、実施の形態２における洗濯補助具２１は、略円環状に形成された環状剛性体２と、洗濯水に対して浮力を生じさせる可動体３と、柔軟性及び通水性を有し、環状剛性体２と可動体３とを接続する接続部２７と、を備える。接続部２７は、可動体３の上部と接着されている。また、接続部２７は、上部が開口する有底円筒形状とし、接続部２７の上部に環状剛性体２、接続部２７の下部に可動体３を配設している。
【００４１】
これにより、接続部２７の側面部の高さを増やすにつれて、洗濯できる洗濯物１１６の容量と可動体３の上下動作域の両方を拡大できる。
【００４２】
（実施の形態３）
図４は、実施の形態３における洗濯補助具の外観側面図である。実施の形態３における洗濯機は、実施の形態１における洗濯補助具１の代わりに、洗濯補助具３１を備える。なお、実施の形態１〜２と同じ部位については、同一番号を付して、説明を省略する。
【００４３】
図４に示すように、実施の形態３における洗濯補助具３１は、略円筒形状に形成された接続部２７の底面外周部に、形状保持部材８を配設したものである。
【００４４】
形状保持部材８は、線径がφ３〜φ７程度の硬質樹脂や鋼線などにより構成されている。また、形状保持部材８の直径は、環状剛性体２の内周と略同等となっている。
【００４５】
以上のように、実施の形態３における洗濯補助具３１は、略円環状に形成された環状剛性体２と、洗濯水に対して浮力を生じさせる可動体３と、柔軟性及び通水性を有し、環状剛性体２と可動体３とを接続する接続部２７と、を備える。接続部２７は、可動体３の上部と接着されている。また、接続部２７の底面外周部には、形状保持部材８を配設している。
【００４６】
これにより、環状剛性体２の内周に対して可動体３の外周が小さくても、接続部２７を略円筒状に保持することができる。そのため、洗濯物１１６を収容する空間の容積効率が向上する。
【００４７】
（実施の形態４）
図５は、実施の形態４における洗濯補助具の外観側面図である。実施の形態４における洗濯機は、実施の形態１における洗濯補助具１の代わりに、洗濯補助具４１を備える。なお、実施の形態１〜３と同じ部位については、同一番号を付して、説明を省略する。
【００４８】
図５に示すように、実施の形態４における可動体３の直径Ａは、環状剛性体２と可動体３の高低差Ｂより大きく、洗濯兼脱水槽１０１の内径、すなわち環状剛性体２の最大径Ｃより小さい。
【００４９】
以上の構成について、以下その動作、作用を説明する。
【００５０】
環状剛性体２と可動体３の高低差、すなわち略円筒形状をした接続部２７の側面部高さが小さい場合は、可動体３の上下動作域が少なく激しい水流下においても可動体３の不規則な動きは見られないが、環状剛性体２と可動体３の高低差が大きくなるにつれて可動体３の反転や飛び上がりといった不都合な現象が発生するリスクが高まる。実施の形態４では、可動体３の直径Ａを環状剛性体２と可動体３の高低差Ｂより大きくすることで、このようなリスクを回避している。
【００５１】
また、可動体３の直径が大きいほど、洗濯物１１６を載置できる面積が増えるため、洗濯補助具４１の容量拡大を図ることができる。
【００５２】
以上のように、実施の形態４における洗濯補助具４１は、略円環状に形成された環状剛性体２と、洗濯水に対して浮力を生じさせる可動体３と、柔軟性及び通水性を有し、環状剛性体２と可動体３とを接続する接続部２７と、を備える。接続部２７は、可動体３の上部と接着されている。また、可動体３の直径は、環状剛性体２と可動体３の高低差より大きく、洗濯兼脱水槽１０１の内径、すなわち環状剛性体２の最大径Ｃより小さくしている。
【００５３】
これにより、激しい水流下において、可動体３の反転や飛び上がりが発生することを抑制できる。
【００５４】
（実施の形態５）
図６（ａ）は、実施の形態５における洗濯補助具の外観側面図、図６（ｂ）は、同洗濯補助具の外観上面図、図６（ｃ）は、同洗濯補助具の二つ折り過程を示した外観側面図である。実施の形態５における洗濯機は、実施の形態１における洗濯補助具１の代わりに、洗濯補助具５１を備える。なお、実施の形態１〜４と同じ部位については、同一番号を付して、説明を省略する。
【００５５】
図６（ａ）及び図６（ｂ）に示すように、洗濯補助具５１は、二つ折り線９近傍において二つ折り可能な構成としたものである。環状剛性体５２は、ほぼ線対称となる中心線で二分割されており、中心線近傍である二箇所には回転軸１０がそれぞれ設けられている。回転軸１０は、二分割された環状剛性体５２を回動自在に接続している。
【００５６】
接続部５７は、ポリエステルやナイロンにより形成されたネットであり、一対の略半円筒状に構成されている。また、可動体５３も二つ折可能とするため、一対の半円形状に形成され、接続部５７の下面にそれぞれ接着されている。
【００５７】
以上の構成について、図６（ｃ）を用いて、以下その動作、作用を説明する。
【００５８】
破線矢印Ａは開き方向、実線矢印Ｂは折り曲げ方向を表している。
【００５９】
洗濯兼脱水槽１０１に洗濯補助具５１を取り付ける時、まずは、洗濯補助具５１を実線矢印Ｂ向きに折り曲げ、洗濯兼脱水槽１０１の内部に入れる。次に、二つ折りされた片側の環状剛性体５２の外周面部に設けられた凸部４を洗濯兼脱水槽の凹部へ嵌合させ、嵌合していない側の環状剛性体５２を破線矢印Ａ方向に開く。環状剛性体５２を開き切ると、外周面部に設けられた凸部４を洗濯兼脱水槽の凹部へ係合させる。
【００６０】
洗濯兼脱水槽１０１の上部にはその径より小さな径の流体バランサ環１０８が配設されるが、このような場合においても、環状剛性体５２と可動体５３を同時にまとめて二つ折りすることで、洗濯補助具５１の着脱が可能となる。
【００６１】
また、洗濯兼脱水槽１０１に対して洗濯補助具５１を取り外す時は、まず、洗濯補助具１の片側の環状剛性体５２に設けられた投入穴１１に指先を入れて上方に引き、凸部４と凹部による係合を外す。次に、実線方向Ａに折り畳みながら洗濯兼脱水槽から取り出すことで、洗濯補助具５１を取り外すことができる。
【００６２】
以上のように、実施の形態５における洗濯補助具５１は、略円環状に形成された環状剛性体５２と、洗濯水に対して浮力を生じさせる可動体５３と、柔軟性及び通水性を有し、環状剛性体５２と可動体５３とを接続する接続部５７と、を備える。接続部５７は、可動体５３の上部と接着されている。また、環状剛性体５２は略線対称となる中心線となる位
置で二分割されており、二分割された環状剛性体５２を回動可能に接続する回転軸１０を備えている。
【００６３】
これにより、洗濯兼脱水槽１０１の上部にはその径より小さな径の流体バランサ環１０８が配設されるが、環状剛性体２の直径が流体バランサ環１０８より大きい場合であっても洗濯補助具５１の着脱が可能となる。
【００６４】
また、実施の形態５のように、可動体５３は略線対称となる中心線となる位置で二分割され、接続部５７と接着されているようにしてもよい。
【００６５】
（実施の形態６）
図７は、実施の形態６における洗濯補助具の外観上面図である。実施の形態６における洗濯機は、実施の形態１における洗濯補助具１の代わりに、洗濯補助具６１を備える。なお、実施の形態１〜５と同じ部位については、同一番号を付して、説明を省略する。
【００６６】
図７に示すように、洗濯補助具６１の可動体６３には、複数の通水孔１２が回転軸１０を挟んで対称的に設けられている。なお、通水孔１２の形状は円形に限定しないが、可動体６３が上昇する時に通水孔１２へ洗濯物１１６が吸い込まれないように、円形であればφ１０程度のサイズとする。
【００６７】
以上の構成について、以下その作用を説明する。
【００６８】
可動体６３が下方向に動く際に、可動体６３の下部にある洗濯水が通水孔１２を通って上方に流れるため、可動体６３の上部に載置した洗濯物１１６が浸水され、洗浄性能が向上する。
【００６９】
（実施の形態７）
図８（ａ）は、実施の形態７における洗濯補助具の外観上面図、図８（ｂ）は、同洗濯補助具の可動体の取り付け・取り外し過程を示した外観側面図、図９（ａ）は、同洗濯補助具の外観上面図、図９（ｂ）は、同洗濯補助具の可動体の取り付け・取り外し過程を示した外観側面図である。実施の形態７における洗濯機は、実施の形態１における洗濯補助具１の代わりに、洗濯補助具７１Ａ又は７１Ｂを備える。なお、実施の形態１〜６と同じ部位については、同一番号を付して、説明を省略する。
【００７０】
実施の形態７における洗濯補助具７１Ａ又は７１Ｂは、可動体７３部分を着脱可能とし、浮力の異なる可動体７３に着け替え可能に構成したものである。
【００７１】
図８〜９に示すように、接続部７７は、回転軸１０を中心線とした一対の略半円筒状に形成されており、接続部７７の底面外周部には形状保持部材８が設けてある。
【００７２】
図８における洗濯補助具７１Ａは、接続部７７の略半円筒状部の底部に略円形の袋状の部屋が形成されている。袋状の部屋は、接続部７７底面の略中心線上に設けられたファスナー１３により開閉可能となっている。略半円に形成された可動体７３は、ファスナー１３により開かれた開口部から、部屋内部の左右にそれぞれ挿入され、ファスナー１３が閉められることで取り付け状態となる。ファスナー１３を開けて浮力の異なる可動体７３に入れ替えることで、洗濯対象の衣類に合わせて上下動作域を調整することができる。
【００７３】
一方、図９における洗濯補助具７１Ｂは、ファスナー１３を二つ設けている。略半円に形成された二つの可動体７３は、それぞれのファスナー１３により開かれた袋状の部屋の内部にそれぞれ挿入され、ファスナー１３を二つとも閉めることで取り付け状態となる。
【００７４】
なお、図８及び９の一点鎖線Ｄは、接続部７７とファスナー１３のテープ部の縫い目を、破線Ｅは、可動体３の上側と下側の接続部７の縫い目を示している。激しい水流下においても、袋の中で、可動体７３の水平方向の位置ずれが小さい場合は、図９の構造が望ましい。図８の構造とすることで、製造原価を低減することができる。また、袋の中で、可動体７３の水平方向の位置ずれが大きい場合は、図９の構造とすることで位置ずれを抑制できる。
【００７５】
以上のように、実施の形態７における洗濯補助具７１Ａ又は７１Ｂは、略円環状に形成された環状剛性体５２と、洗濯水に対して浮力を生じさせる可動体７３と、柔軟性及び通水性を有し、環状剛性体５２と可動体７３とを接続する接続部７７と、を備える。また、接続部７７は、有底筒状に形成されるとともに底部を袋状の部屋とすることで、可動体７３は、袋状の部屋の内部に出し入れ可能に構成されている。
【００７６】
これにより、載置した洗濯対象衣類の負荷量に応じて適切な浮力となる可動体７３を使用することができる。そのため、洗濯補助具７１Ａ及び洗濯補助具７１Ｂによる上下動作を安定的に行うことができる。
【００７７】
（他の実施の形態）
以上のように、本出願において開示する技術の例示として、実施の形態１〜７を説明した。しかしながら、本開示における技術は、これに限定されない。
【００７８】
そこで、以下、他の実施の形態を例示する。
【００７９】
実施の形態１〜７では、洗濯機の洗濯兼脱水槽の内部に洗濯補助具を着脱可能に取り付ける構造の一例として、洗濯兼脱水槽１０１に凹部を設け、洗濯補助具１に形成された凸部４と係合させる構造を説明した。取り付ける構造は、上記構成に限定されず、洗濯兼脱水槽１０１に凸部４を設け、洗濯補助具１に凹部を設ける構成にしてもよい。ただし、洗濯兼脱水槽１０１側を凹部とすることで、洗濯補助具を使用しない時に、洗濯物１１６が凸部４に引っかかり布痛みが発生することを抑止できる。
【００８０】
実施の形態１〜７では、略円環状に形成された環状剛性体の一例として、一部が切欠けられた略円環状の板として構成された環状剛性体２、環状剛性体５２を説明した。環状剛性体の形状は、略円環状であればよいので、一部が切欠けられた略円環に限定されない。環状剛性体の形状は、円形、楕円、多角環などであってもよいし、その外周の一部が切り欠けられた形状であってもよい。
【００８１】
実施の形態１〜７では、凸部が形成される位置の一例として、環状剛性体２の切欠け部分に凸部４が形成された構成を説明した。凸部４は、凹部と係合すればよいので、切欠け部分の代わりに外縁部に形成されていてもよい。
【００８２】
実施の形態５〜６では、二つ折りできる可動体の一例として、二分割された可動体５３、可動体６３を説明した。可動体は、洗濯補助具を二つ折にする際に二つ折にできる構成であればよいので、二分割された可動体に限定しない。また、二分割された可動体を回動軸で接続しても良い。
【００８３】
実施の形態１〜５、７では、可動体の上面について言及しなかったが、可動体の上面に剛性の板部材を設けてもよい。また、剛性の板部材を二分割し、これを回動軸で接続しても良い。
【００８４】
実施の形態１〜７における接続部は、伸縮性のある素材で構成されてもよい。これにより、水流による可動体の不規則な動作を抑制できる。
【００８５】
実施の形態１〜７では、接続部と可動体との接着の一例として、接続部の下面と可動体の上面とを接着する構成を説明した。可動体と接続部の接着面は、可動体の端部のみであってもよい。また、接着は、接着剤による接着に限定されず、糸による縫合や、可動体に形成された孔に糸を結ぶ構成等であってもよい。
【００８６】
実施の形態７では、接続部に形成された二重構造の袋を開閉する手段の一例として、ファスナー１３を説明した。袋を開閉する手段は、ファスナーに限定されず、開口を閉じる係合部であればよい。従って、マジックテープ（登録商標）やボタンによる係合を用いてもよい。
【産業上の利用可能性】
【００８７】
本開示は、パルセータを備えた洗濯機に適用可能である。具体的には、縦型洗濯機に本開示は適用可能である。
【符号の説明】
【００８８】
１  洗濯補助具
２  環状剛性体
３  可動体
７  接続部
８  形状保持部材
１０  回転軸
１２  通水孔
１３  ファスナー
２１  洗濯補助具
２７  接続部
３１  洗濯補助具
４１  洗濯補助具
５１  洗濯補助具
５２  環状剛性体
５３  可動体
５７  接続部
６１  洗濯補助具
６３  可動体
７１Ａ、７１Ｂ  洗濯補助具
７３  可動体
７７  接続部
１０１  洗濯兼脱水槽
１０２  パルセータ
１０４  水受槽
１０５  モータ
１０６  外枠
１０８  流体バランサ環
１１１  散水口
１１６  洗濯物
【図１】
2020199047.tif 000003
【図２】
2020199047.tif 000004
【図３】
2020199047.tif 000005
【図４】
2020199047.tif 000006
【図５】
2020199047.tif 000007
【図６】
2020199047.tif 000008
【図７】
2020199047.tif 000009
【図８】
2020199047.tif 000010
【図９】
2020199047.tif 000011
【図１０】
2020199047.tif 000012